(57)【要約】【課題】畳まれた衣服をその袋に保管することができるように、一体化保管袋を備えた衣服を提供すること。【解決手段】衣服（１０、１００、２００）が、衣服本体（１２、２１２）と、衣服本体（１２、２１２）の後部（２０）の内表面（１４）上にネック（２３）に向かって配置された保管袋（２６）と、を含む。保管袋（２６）は、衣服本体（１２、２１２）の内表面（１４）の一部および追加ピース（２８）によって形成される。追加ピース（２８）は、保管袋（２６）の内部が畳まれた衣服本体（１２、２１２）を収納するような大きさに設定されている。衣服本体（１２、２１２）が保管袋（２６）内へ畳まれているとき、保管袋（２６）の内部は、追加ピース（２８）の外面（３０）および衣服本体（１２、２１２）の前部（１８）の内表面（１４）によって画定される。【選択図】図３
2020143419.tif 000002
【特許請求の範囲】
【請求項１】
上体に着用するのに適した内表面（１４）と、外表面（１６）と、を画定している衣服本体（１２、２１２）であって、前記衣服本体（１２、２１２）は前部（１８）および後部（２０）を有し、前記衣服本体（１２、２１２）はその上端で開口（２２）を有し、前記開口（２２）は前記衣服本体（１２、２１２）のネック（２３）を形成している、衣服本体（１２、２１２）と、
前記衣服本体（１２、２１２）の前記後部（２０）の前記内表面（１４）上に前記ネック（２３）に向かって配置された保管袋（２６）であって、前記保管袋（２６）は、前記衣服本体（１２、２１２）の前記内表面（１４）の一部および追加ピース（２８）によって形成され、前記追加ピース（２８）は、前記衣服本体（１２、２１２）の前記後部（２０）の前記内表面（１４）に面する内面（５０）と、前記衣服本体（１２、２１２）の前記前部（１８）の前記内表面（１４）に面する外面（３０）と、を有し、前記追加ピース（２８）の自由上縁部（３２）が前記ネック（２３）の形状と実質的に同様の形状であり、前記追加ピース（２８）の他の縁部（３４）は、前記保管袋（２６）を形成するように前記衣服本体（１２、２１２）の前記内表面（１４）に結合されており、前記追加ピース（２８）の大きさは、畳まれた前記衣服本体（１２、２１２）が前記保管袋（２６）の内部に収納されるように設定され、前記衣服本体（１２、２１２）が前記保管袋（２６）内へ畳まれているとき、前記保管袋（２６）の内部は、前記追加ピース（２８）の前記外面（３０）および前記衣服本体（１２、２１２）の前記前部（１８）の前記内表面（１４）によって画定される、保管袋（２６）と、
を含む衣服（１０、１００、２００）。
【請求項２】
前記衣服本体（１２、２１２）は前記衣服本体（１２、２１２）の縦方向（Ｌ）において長さ（Ｌ１）を有し、前記追加ピース（２８）は前記縦方向（Ｌ）において高さ（Ｌ２）を有し、前記追加ピース（２８）の前記高さ（Ｌ２）は、前記衣服本体（１２、２１２）の前記長さ（Ｌ１）の４分の１と２分の１との間である、請求項１に記載の衣服（１０、１００、２００）。
【請求項３】
前記衣服本体（１２、２１２）は縦方向（Ｌ）に垂直な横方向（Ｌａｔ）において幅（Ｗ１）を有し、前記追加ピース（２８）は前記横方向（Ｌａｔ）において幅（Ｗ２）を有し、前記追加ピース（２８）の前記幅（Ｗ２）は、前記衣服本体（１２、２１２）の前記幅（Ｗ１）の２分の１と４分の３との間である、請求項１または２に記載の衣服（１０、１００、２００）。
【請求項４】
前記衣服本体（１２、２１２）および前記保管袋（２６）は、前記衣服本体（１２、２１２）の中心縦軸（Ｃ）に対して対称である、請求項１から３のいずれか一項に記載の衣服（１０、１００、２００）。
【請求項５】
前記追加ピース（２８）の前記自由上縁部（３２）は前記ネック（２３）に近接して配置されている、請求項１から４のいずれか一項に記載の衣服（１０、１００、２００）。
【請求項６】
前記追加ピース（２８）の前記他の縁部（３４）は、縫製または糊付けによって前記衣服本体（１２、２１２）の前記内表面（１４）に結合されている、請求項１から５のいずれか一項に記載の衣服（１０、１００、２００）。
【請求項７】
前記追加ピース（２８）の前記他の縁部（３４）は曲線状であり、実質的に三日月形状を形成する、請求項１から６のいずれか一項に記載の衣服（１０、１００、２００）。
【請求項８】
前記保管袋（２６）は実質的に長方形または正方形の形状である、請求項１から７のいずれか一項に記載の衣服（１０、１００、２００）。
【請求項９】
前記衣服本体の前記前部（１８）と前記衣服本体（１２、２１２）の前記後部（２０）とは縫製によって結合されており、前記追加ピース（２８）の前記他の縁部（３４）は、前記衣服本体（１２、２１２）の前記前部（１８）と前記衣服本体（１２、２１２）の前記後部（２０）とを結合している縫い目（３８）の一部で縫われた上縁部（３６）と、前記衣服本体（１２、２１２）の前記後部（２０）の前記内表面（１４）上に直接縫い付けられた側縁部（４０）および底縁部（４２）と、を含む、請求項１から８のいずれか一項に記載の衣服（１０、１００、２００）。
【請求項１０】
前記衣服本体（１２、２１２）は伸縮性織物からなる、請求項１から９のいずれか一項に記載の衣服（１０、１００、２００）。
【請求項１１】
前記衣服本体（１２、２１２）の前記外表面（１６）は第１の色または第１の柄を含み、前記衣服本体（１２）の前記内表面（１４）は、前記第１の色または第１の柄とはそれぞれ異なる少なくとも第２の色または第２の柄を含み、前記追加ピース（２８）の前記内面（５０）は前記第１の色または第１の柄を有し、前記外面（３０）は前記第２の色または第２の柄を有する、請求項１から１０のいずれか一項に記載の衣服（１０、１００、２００）。
【請求項１２】
前記追加ピース（２８）の前記内面（５０）は特徴的なサインを含む、請求項１から１１のいずれか一項に記載の衣服（１０、１００、２００）。
【請求項１３】
前記衣服本体（１２、２１２）はタンクトップまたはボディースーツまたはレオタードであり、任意選択で半袖または長袖をさらに含む、請求項１から１２のいずれか一項に記載の衣服（１０、１００、２００）。
【請求項１４】
前記衣服（１０、１００、２００）は、前記衣服本体（１２、２１２）から分離している衣服ボトム（２１３）をさらに含み、前記衣服本体（１２、２１２）の前記保管袋（２６）の大きさは、畳まれた前記衣服本体（１２、２１２）および畳まれた前記衣服ボトム（２１３）が前記保管袋（２６）の内部に収納されるように設定されている、請求項１から１３のいずれか一項に記載の衣服（１０、１００、２００）。
【請求項１５】
衣服ボトム（２１３）はパンティまたはショートパンツまたはバミューダショーツまたはパンツまたはタイツまたは靴下である、請求項１から１４のいずれか一項に記載の衣服（１０、１００、２００）。
【請求項１６】
前記衣服本体（１２）の前記後部（２０）の前記外表面（１６）を上向きにして前記衣服本体（１２、２１２）を平らに置くステップと、
任意選択で、衣服ボトム（２１３）、任意選択で畳まれた衣服ボトム（２１３）を、前記衣服本体（１２）を超えて広がらないように、前記衣服本体（１２）の前記後部（２０）の前記外表面（１６）上に配置するステップと、
任意選択で上記のとおり配置された前記衣服ボトム（２１３）とともに、前記衣服本体の横の第１の端部（５２）から前記衣服本体（１２）の幅（Ｗ１）の約４分の１の場所にある縦の第１の折り線（Ｐ１）に沿って前記衣服本体（１２）を折り、次いで前記衣服本体（１２）の横の第２の端部（５４）から前記衣服本体（１２）の前記幅（Ｗ１）の約４分の１の場所にある縦の第２の折り線（Ｐ２）に沿って折って、前記第１の端部（５２）と前記第２の端部（５４）とが前記衣服本体（１２）の中心縦対称軸（Ｃ）に沿って向かい合うようにするステップと、
四辺形の概略形状が形成されるまで、横軸（Ｌａｔ）に沿う複数の折り線（Ｐ３、Ｐ４）上で、前記ネック（２３）に向かって逐次的に前記衣服本体（１２）を折り畳むステップと、
上記のとおり形成された前記四辺形を、四辺形の形状の前記衣服本体（１２）の前記前部（１８）が上向きになるように裏返すことにより、前記保管袋（２６）を形成している前記追加ピース（２８）の前記自由上縁部（３２）を表に出すステップと、
前記保管袋（２６）を開けて、前記保管袋（２６）の内部（４３）が前記保管袋（２６）の外部になり前記保管袋（２６）の外部が前記保管袋（２６）の内部（４３）になるように、前記開口（２２）を通して畳まれた前記衣服本体（１２）を押し込むステップと、
任意選択で、実質的に正方形または長方形の形状を作成するため、畳まれた前記衣服本体（１２）を上記のとおり収容している前記保管袋（２６）の縁部を引っ張るステップと、
を含む、請求項１から１５のいずれか一項に記載の衣服（１０、１００、２００）を保管するための方法。
【発明の詳細な説明】
【技術分野】
【０００１】
本発明は衣類の分野に関する。
【背景技術】
【０００２】
スケジュールがますます忙しくなり、家庭、および特に幼い子供たちを持つ家庭では、家事および片付けに費やす時間がますます少なくなっている。
【０００３】
服はよく急いで畳まれて、クローゼットに無作為に保管される。それらはしわになり、適切に畳まれた場合より多くのスペースを占める。子供部屋に保管される服は無秩序になり、および／または服装の一部を紛失しやすい。
【０００４】
このような無秩序は、若い親にとって時間の浪費となり得るだけでなく、気苦労の種にもなり得る。
【発明の概要】
【課題を解決するための手段】
【０００５】
上体に着用するのに適した内表面と、外表面と、を画定している衣服本体であって、衣服本体は前部および後部を有し、衣服本体はその上端で開口を有し、開口は衣服本体のネックを形成している、衣服本体と、衣服本体の後部の内表面上にネックに向かって配置された保管袋であって、保管袋は、衣服本体の内表面の一部および追加ピースによって形成され、追加ピースは、衣服本体の後部の内表面に面する内面と、衣服本体の前部の内表面に面する外面と、を有し、追加ピースの自由上縁部がネックの形状と実質的に同様の形状であり、追加ピースの他の縁部は、保管袋を形成するように衣服本体の内表面に結合されており、追加ピースの大きさは、畳まれた衣服本体が保管袋の内部に収納されるように設定され、衣服本体が保管袋内へ畳まれているとき、保管袋の内部は、追加ピースの外面および衣服本体の前部の内表面によって画定される、保管袋と、を含む衣服が提案される。
【０００６】
以下の段落に記載の特徴は、任意選択で実現することができる。それらは、互いに独立して、または互いに組み合わせて実現することができる。
【０００７】
衣服本体は衣服本体の縦方向において長さを有し、追加ピースは縦方向において高さを有し、追加ピースの高さは、衣服本体の長さの４分の１と２分の１との間である。
【０００８】
衣服本体は縦方向に垂直な横方向において幅を有し、追加ピースは横方向において幅を有し、追加ピースの幅は、衣服本体の幅の２分の１と４分の３との間である。
【０００９】
衣服本体および保管袋は、衣服本体の中心縦軸に対して対称である。
【００１０】
追加ピースの自由上縁部はネックに近接して配置されている。
【００１１】
追加ピースの他の縁部は、縫製または糊付けによって衣服本体の内表面に結合されている。
【００１２】
追加ピースの他の縁部は曲線状であり、実質的に三日月形状を形成する。
【００１３】
保管袋は実質的に長方形または正方形の形状である。
【００１４】
衣服本体の前部と衣服本体の後部とは縫製によって結合されており、追加ピースの他の縁部は、衣服本体の前部と衣服本体の後部とを結合している縫い目の一部で縫われた上縁部と、衣服本体の後部の内表面上に直接縫縫い付けられた側縁部および底縁部と、を含む。
【００１５】
衣服本体は伸縮性織物からなる。
【００１６】
衣服本体の外表面は第１の色または第１の柄を含み、衣服本体の内表面は、第１の色または第１の柄とはそれぞれ異なる少なくとも第２の色または第２の柄を含み、追加ピースの内面は第１の色または第１の柄を有し、外面は第２の色または第２の柄を有する。
【００１７】
追加ピースの内面は特徴的なサインを含む。
【００１８】
衣服本体はタンクトップまたはボディースーツまたはレオタードであり、任意選択で半袖または長袖をさらに含む。
【００１９】
衣服は、衣服本体から分離している衣服ボトムをさらに含み、衣服本体の保管袋の大きさは、畳まれた衣服本体および畳まれた衣服ボトムが保管袋の内部に収納されるように設定されている。
【００２０】
衣服ボトムはパンティまたはショートパンツまたはバミューダショーツまたはパンツまたはタイツまたは靴下である。
【００２１】
別の態様によれば、衣服本体の後部の外表面を上向きに衣服本体を平らに置くステップと、任意選択で畳まれた衣服ボトムを、衣服本体を超えて広がらないように、衣服本体の後部の外表面上に任意選択で配置するステップと、任意選択でこのように配置された衣服ボトムとともに、衣服本体の横の第１の端部から衣服本体の幅の約４分の１の場所にある縦の第１の折り線に沿って衣服本体を折り、次いで衣服本体の横の第２の端部から衣服本体の幅の約４分の１の場所にある縦の第２の折り線に沿って折って、第１の端部と第２の端部とが衣服本体の中心縦対称軸に沿って向かい合うようにするステップと、四辺形の概略形状が形成されるまで、横軸に沿う複数の折り線上で、ネックに向かって逐次的に衣服本体を折り畳むステップと、四辺形の形状の衣服本体の前部が上向きになるように、このように形成された四辺形を裏返して、保管袋を形成している追加ピースの自由上縁部を表に出すステップと、保管袋を開けて、保管袋の内部がその外部に、およびその逆になるように、開口を通して畳まれた衣服本体を押し込むステップと、任意選択で、実質的に正方形または長方形の形状を作成するため、畳まれた衣服本体をこのように収容している保管袋の縁部を引っ張るステップと、を含む、衣服を保管するための方法が提案される。
【発明の効果】
【００２２】
本発明およびその変形により、一般に、畳まれた衣服をその袋に保管することができるように、一体化保管袋を備えた衣服を提供することが可能になる。袋は、ネックに近い衣服の内側に控えめに配置され、したがって衣服を着ている人を煩わせることなく、衣服を袋内へ容易かつ直観的に折り畳むことを保証している。保管袋は、容易な保管のために衣服本体内へ一体化されている。衣服が畳まれて袋内へ戻ると、これはコンパクトな正方形または長方形のスペースを占める。衣服が２つ以上のアイテムの服装であってもアイテムの流出または紛失なしに衣服全体を掴むため、単にこの正方形または長方形を掴む必要があるのみである。この保管の形態により、スペースを失うことなく、たとえば、引き出しに互いに隣接して多数の衣服を置くことも可能になる。袋の少なくとも１つの外表面上に印刷または着色された柄により、袋に封入された衣服を容易に認識することが任意選択で可能になり、これにより、たとえば、衣類の引き出しにおける衣服の選択が容易になる。
【００２３】
本発明の他の特徴、詳細、および利点は、以下の詳細な説明を読むことから、および添付の図面の分析から、明らかになるであろう。
【図面の簡単な説明】
【００２４】
【図１】本発明の一実施形態による衣服の前部を示す図である。
【図２】図１の衣服の後部を示す図である。
【図３】図１および図２の衣服の後部の内側を示す図である。
【図４】一実施形態による衣服を示す図である。
【図５】一実施形態による衣服を示す図である。
【図６】一実施形態による衣服を保管するための方法におけるステップを示す図である。
【図７】一実施形態による衣服を保管するための方法における別のステップを示す図である。
【図８】一実施形態による衣服を保管するための方法における別のステップを示す図である。
【図９】一実施形態による衣服を保管するための方法における別のステップを示す図である。
【図１０】一実施形態による衣服を保管するための方法における別のステップを示す図である。
【図１１】一実施形態による衣服を保管するための方法における別のステップを示す図である。
【図１２】一実施形態による衣服を保管するための方法における別のステップを示す図である。
【図１３】一実施形態による衣服を保管するための方法における別のステップを示す図である。
【発明を実施するための形態】
【００２５】
大部分について、以下の図面および説明は確かな要素を含む。それらはしたがって、本発明のより良い理解を提供するのに役立つだけでなく、適切な場合には、その定義にも寄与する。
【００２６】
ここで図１および図２を参照する。衣服１０が、内表面１４および外表面１６を画定している衣服本体１２を含む。図１は衣服本体１２の前部１８を示し、図２は後部２０を示す。衣服本体１２は、その上端に開口２２を有する。開口２２は衣服本体１２のネック２３を構成する。図１および図２に示す衣服本体１２は半袖２４を有し、子供のＴシャツとして示す。しかしながら、異なる衣服本体が考慮される。衣服本体１２は、長袖、七分袖、または袖なしであることが可能である。長袖、半袖、または袖なしのボディースーツまたはレオタードでもあり得る。図４はたとえばタンクトップの形態の衣服１００を示す。衣服１０は、幼児、子供、若者、または大人用の衣服であり得る。
【００２７】
ネック２３は丸いが、いくつかの形状のネックが考慮される。たとえば、ネック２３はボートネック、Ｖネックでも、またはポロシャツのように衿を有してもよい。
【００２８】
衣服１０は、衣服本体１２に加えて１つまたは複数のピース、たとえば衣服ボトム、またはアクセサリ（たとえばヘッドバンド）を含むことができる。衣服ボトムはパンティまたはショートパンツまたはバミューダショーツまたはパンツまたはタイツまたは靴下であり得るが、これは限定的ではない。衣服１０はこのように、アンサンブルとして、いくつかの例を挙げると、夜間用、または日中用、またはスポーツ用の服装であり得る。図５はたとえば、衣服本体２１２がＴシャツであり、ショートパンツの形態のボトム２１３も含む衣服２００を示す。
【００２９】
衣服１０の実施形態が何であっても、衣服本体１２は保管袋２６を含む。折り畳まれた衣服１０が、衣服が衣服本体１２のみからなる場合に衣服本体１２であるか、衣服２００のように、衣服１０がいくつかのアイテムを含む場合に衣服本体１２とボトムとのアンサンブルを伴うかにかかわらず、保管袋２６はこれをその中に保管することが可能である。
【００３０】
保管袋２６は衣服本体１２内へ一体化されており、換言すれば永続的にそれに取り付けられている。たとえそれを引っ張ることによって取り外すことができても、衣服本体１２がいつもこの袋２６を含み、そのためこれが衣服１０の一体化部分であるということが意図である。
【００３１】
保管袋２６は、衣服本体１０の後部２０の内表面１４上にネック２３に向かって配置されている。このように配置されると、それは最小限に侵襲的であり、衣服１０を着ているときに見えず、衣服１０を着ている人を悩ませない。また、ネック２３を通して容易にアクセスすることができる。他方、その位置は、衣服１２を袋に入れるため従来の方法で畳むことができるということを意味する。折り畳みはしたがって直観的であり、それをする人の習慣は変わらない。
【００３２】
保管袋２６は、衣服本体１２の内表面１４の一部と追加ピース２８とからなる。追加ピース２８は、衣服本体１２の後部２０の内表面１４に面する内面２９（図１２に示す）、および衣服本体１２の前部１８の内表面１４に面する外面３０を有する。追加ピース２８の自由上縁部３２は、ネック２３の形状と実質的に同様な形状を有する。追加ピース２８の他の縁部３４は、保管袋２６を形成するように衣服本体１２の内表面１４に結合されている。追加ピース２８はたとえば衣服本体１２に縫製または糊付けされている。
【００３３】
一実施形態によれば、衣服本体１２の前部１８と衣服本体１２の後部２０とは縫製によって結合されている。一実施形態によれば、追加ピース２８の他の縁部３４は、ネック２３のそれぞれの側に上縁部３６を含む。上縁部３６は、衣服本体１２の前部１８と衣服本体１２の後部２０とを結合している縫い目３８の一部で縫われている。側縁部４０および底縁部４２が、衣服本体１２の後部２０の内表面１４上へ直接縫い付けられている。縫い目４３で図２に示すように、縫い目は衣服本体１２の後部２０上で可視であり得る。側縁部４０および底縁部４２は、たとえば三日月形状を形成している、図３に示す保管袋２６の場合のように、連続的に結合することができる。
【００３４】
追加ピース２８の大きさは、畳まれた衣服本体１２が保管袋２６の内部に収納されるようなに設定されている。衣服１０が、たとえば図５の衣服２００のボトム２１３のような、衣服本体１２から分離している衣服ボトムをさらに含めば、衣服本体の保管袋２６の大きさは、畳まれた衣服本体と衣服ボトムとが共に保管袋２６の内部に収納されるようなに設定されている。
【００３５】
保管袋２６の大きさを設定するため、織物の質を考慮に入れることができる。たとえば、追加ピース２８および任意選択で衣服本体１２は、衣服を袋２６に保管することを容易にするために伸縮性織物からなり得る。衣服本体１２とは異なる織物で追加ピースを作製し、追加ピース２８のみを伸縮性織物で作製することが可能である。織物の伸縮性は、本質的な弾性特性を有する糸、たとえばスパンデックス糸を用いることによって、またはたとえば綿のようなより堅い糸の柔軟な構造によって提供することができる。
【００３６】
一実施形態によれば、追加ピース２８の高さＬ２は、衣服本体１２の長さＬ１の４分の１と２分の１との間であり、衣服本体１２の長さＬ１および追加ピース２８の高さＬ２（図３に示す）は、縦方向Ｌにおいて計算されている。
【００３７】
一実施形態によれば、追加ピース２８の幅Ｗ２は、衣服本体１２の幅Ｗ１の２分の１と４分の３との間であり、幅Ｗ１およびＷ２は、縦方向に垂直な横方向Ｌａｔにおいて計算されており、追加ピースは横方向において幅を有する。
【００３８】
保管袋２６はいくつかの形状を有することができる。一実施形態によれば、追加ピース２８の他の縁部３４は、図２に示すように、曲線状であり、たとえば実質的に三日月形状を形成する。追加ピース２８は、多かれ少なかれ長方形、正方形、または曲線状の保管袋２６を形成するために多かれ少なかれ曲線状または正方形または長方形であり得る。一実施形態によれば、衣服本体１２および保管袋２６は、衣服本体１２の中心縦軸Ｃに対して対称である。
【００３９】
衣服本体１２が畳まれていないとき、追加ピース２８の内面５０および衣服本体１２の後部２０の内表面１４の一部によって保管袋２６の内部４３が画定される。衣服本体１２が保管袋２６内へ畳まれているとき、追加ピース２８の外面３０および衣服本体１２の前部１８の内表面１４によって保管袋２６の内部４４が画定される。このように、衣服本体１２が畳まれていないときに保管袋２６の内部４３とみなすことができるものは、衣服本体１２がその中に保管されているとき、保管袋２６の外部になる。
【００４０】
一実施形態によれば、衣服本体１２の外表面１６は第１の色または第１の柄を含み、衣服本体１２の内表面１４は、第１の色または第１の柄とはそれぞれ異なる少なくとも第２の色または第２の柄を含む。色または柄の違いにより、衣服本体１２の外部から内部を区別することが可能になる。このように衣服を裏返しに着たかどうかを子供が容易に見ることができる。
【００４１】
一実施形態によれば、追加ピース２８の内面５０は第１の色または第１の柄を有し、追加ピース２８の外面３０は第２の色または第２の柄を有する。この配置で、衣服１０を保管袋２６に入れると、第１の色または柄が露出し、どの衣服が袋にあるかを認識することが容易になる。
【００４２】
一実施形態によれば、追加ピース２８の内面５０は特徴的なサインまたはロゴを含む。
【００４３】
次に図６から図１３を参照して、衣服１０を保管袋２６内へ挿入するために畳むための方法の一例を説明する。
【００４４】
第１のステップにおいて、衣服本体１２の後部２０の外表面１６を上向きに衣服本体１２を平らに配置する。任意選択で、衣服１０がボトムまたは他の追加のピースを含めば、衣服ボトムを、好ましくは畳んで、それが衣服本体１２を超えて広がらないように衣服本体１２の後部２０の外表面１６上に置く（図６）。
【００４５】
第２のステップにおいて、任意選択でこのように配置された衣服ボトムとともに、縦の第１の折り線Ｐ１に沿って衣服本体１２を折る。縦の第１の折り線Ｐ１は、衣服本体１２の横の第１の縁部５２から衣服本体１２の幅Ｗ１の約４分の１の場所にある。次に、衣服本体１２の横の第２の縁部５４から衣服本体１２の幅Ｗ１の約４分の１に配置された縦の第２の折り線Ｐ２に沿って折り畳みがなされ、これにより横の第１および第２の縁部が衣服本体１２の中心縦対称軸Ｃに沿って向かい合うようになる（図７）。
【００４６】
第３のステップにおいて、四辺形の概略形状が形成されるまで、横軸Ｌａｔに沿う複数の折り線Ｐ３、Ｐ４上で、ネック２３に向かって衣服本体１２を逐次的に折り畳む（図８および図９）。
【００４７】
第４のステップにおいて、四辺形へと畳まれた衣服本体１２の前部１８が上を向き、したがって保管袋２６を形成している追加ピース２８の自由上縁部３２を表に出すように、このように形成された四辺形を裏返す（図１０）。
【００４８】
第５のステップにおいて、たとえば両手を用いて、保管袋２６を開けて、保管袋２６の内部４３が保管袋２６の外部になり保管袋２６の外部が保管袋２６の内部４３になるように、開口２２を通して畳まれた衣服本体１２を押し込む（図１１）。
【００４９】
第６のステップにおいて、任意選択で、畳まれた衣服本体１２をこのように収容する保管袋２６の縁部を引っ張って、実質的に正方形または長方形の形状を作成する（図１２および図１３）。
【符号の説明】
【００５０】
１０  衣服
１２  衣服本体
１４  内表面
１６  外表面
１８  前部
２０  後部
２２  開口
２３  ネック
２４  半袖
２６  保管袋
２８  追加ピース
２９  内面
３０  外面
３２  上縁部
３４  他の縁部
３６  上縁部
３８  縫い目
４０  側縁部
４２  底縁部
４３  内部
４４  内部
５０  内面
５２  第１の縁部
５４  第２の縁部
１００  衣服
２００  衣服
２１２  衣服本体
２１３  ボトム
【図１】
2020143419.tif 000003
【図２】
2020143419.tif 000004
【図３】
2020143419.tif 000005
【図４】
2020143419.tif 000006
【図５】
2020143419.tif 000007
【図６】
2020143419.tif 000008
【図７】
2020143419.tif 000009
【図８】
2020143419.tif 000010
【図９】
2020143419.tif 000011
【図１０】
2020143419.tif 000012
【図１１】
2020143419.tif 000013
【図１２】
2020143419.tif 000014
【図１３】
2020143419.tif 000015
【外国語明細書】
2020143419000001.pdf